(57)【要約】【課題】野生の猿などの動物を集団で捕獲する動物捕獲装置を提供する。【解決手段】動物捕獲装置１０は、餌エリア１２と、下部フェンス１４と、上部フェンス１６と、防護部材１８と、移動部材２０とを備えている。餌エリア１２は、動物の餌を設置する領域である。下部フェンス１４は、餌エリア１２の周囲に設けられており、少なくとも一部が網から構成されている。上部フェンス１６は、下部フェンス１４の上で餌エリア１２の周囲に設けられており、平滑な内面１６ａを備えている。防護部材１８は、下部フェンス１４の内側と餌エリア１２に渡って設けられており、動物捕獲装置１０で捕獲された動物が地中を掘り進むのを妨げている。移動部材２０は、動物が餌エリア１２の内側と外側とを自由に移動するための部材である。【選択図】図１
0003194499.tif 000002
【実用新案登録請求の範囲】
【請求項１】
動物の餌を設置する餌エリアと、
少なくとも一部が網から構成され、前記餌エリアの周囲に設けられた下部フェンスと、
前記下部フェンスの上で前記餌エリアの周囲に設けられ、平滑な内面を備えた上部フェンスと、
を有する動物捕獲装置。
【請求項２】
請求項１において、
前記下部フェンスの内側と前記餌エリアに渡って設けられ、捕獲された動物が地中を掘り進むのを妨げる防護部材をさらに有する動物捕獲装置。
【請求項３】
請求項１または２において、
動物が前記餌エリアの内側と外側とを移動でき、着脱可能な移動部材をさらに有する動物捕獲装置。
【請求項４】
請求項１から３のいずれかにおいて、
前記上部フェンスが鉛直方向に伸縮可能である動物捕獲装置。
【考案の詳細な説明】
【技術分野】
【０００１】  本考案は、農作物に被害を与える野生の猿などの動物を集団で捕獲する動物捕獲装置に関するものである。
【背景技術】
【０００２】  自然環境の変化に伴い、野生動物が異常に増加している。野生動物は人里離れた山中などで生活していたが、最近では餌を求めて人里に下りてきて畑の農作物を食べるようになった。農作物の被害を防ぐために、野生の猿などの動物を集団で捕獲する装置の出現が望まれている。
【考案の概要】
【考案が解決しようとする課題】
【０００３】  本考案はこのような事情に鑑みてなされたものであり、野生の猿などの動物を集団で捕獲する動物捕獲装置を提供することを目的とする。
【課題を解決するための手段】
【０００４】  本考案の動物捕獲装置は、動物の餌を設置する餌エリアと、少なくとも一部が網から構成され、餌エリアの周囲に設けられた下部フェンスと、下部フェンスの上で餌エリアの周囲に設けられ、平滑な内面を備えた上部フェンスとを有する。本考案の動物捕獲装置において、下部フェンスの内側と餌エリアに渡って設けられ、捕獲された動物が地中を掘り進むのを妨げる防護部材をさらに有していてもよい。本考案の動物捕獲装置において、動物が餌エリアの内側と外側とを移動でき、着脱可能な移動部材をさらに有していてもよい。本考案の動物捕獲装置において、上部フェンスが鉛直方向に伸縮可能であることが好ましい。
【考案の効果】
【０００５】  本考案によれば、野生の猿などの動物を集団で捕獲できる。
【図面の簡単な説明】
【０００６】
【図１】本考案の第一実施形態に係る動物捕獲装置の斜視図である。
【図２】本考案の第一実施形態に係る動物捕獲装置の部分断面模式図である。
【図３】本考案の他の実施形態に係る動物捕獲装置の部分断面模式図である。
【考案を実施するための形態】
【０００７】  以下、本考案の動物捕獲装置について、図面を参照しながら実施形態に基づいて説明する。なお、図面は、動物捕獲装置、動物捕獲装置を構成する部材、および動物捕獲装置の周辺部材を模式的に表したものであり、これらの実物の寸法および寸法比は、図面上の寸法および寸法比と必ずしも一致していない。また、重複説明は適宜省略する。
【０００８】  図１は、本考案の第一実施形態に係る動物捕獲装置１０の斜視図である。図２は、動物捕獲装置１０の部分断面模式図である。動物捕獲装置１０は、野生の猿などの動物を集団で捕獲できる装置で、餌エリア１２と、下部フェンス１４と、上部フェンス１６と、防護部材１８と、移動部材２０とを備えている。動物捕獲装置１０は、例えば山中と人里の間付近に施工する。餌エリア１２は、動物の餌を設置する領域である。餌エリア１２は、動物を捕獲する場所の地面をそのまま利用してもよいし、コンクリート等で表面を仕上げた領域であってもよい。また、餌は、餌エリア１２に直接置いてもよいし、餌台を餌エリア１２に置いて、餌台に置いたり吊るしたりしてもよい。さらに、必要に応じて、動物が飲むための水を餌エリア１２に置いてもよい。
【０００９】  下部フェンス１４は、餌エリア１２の周囲に設けられている。下部フェンス１４は、少なくとも一部が網から構成されている。このため、動物や人間は、動物捕獲装置１０の外側から餌エリア１２の様子、すなわち餌や動物の有無等を見ることができる。本実施形態では、下部フェンス１４は全体が網で構成されている。下部フェンス１４の高さには特に制限がないが、本実施形態では８０ｃｍから１ｍくらいの高さである。また、下部フェンス１４の配置形状や幅には制限がないが、本実施形態では下部フェンス１４を正方形状に配置し、その一辺の幅は１０ｍから２０ｍくらいである。動物捕獲装置１０は、その外側から餌エリア１２に設置した餌を食べに来た動物が、外側に出られずに捕獲される仕組みになっている。その仕組みの詳細は後述する。下部フェンス１４に施錠できる開閉扉をつけて、人間が餌エリア１２に出入りできるようにしてもよい。
【００１０】  上部フェンス１６は、下部フェンス１４の上で餌エリア１２の周囲に設けられている。そして、上部フェンス１６は平滑な内面１６ａを備えている。このため、餌エリア１２にいる動物は、上部フェンス１６の内面１６ａを伝わって動物捕獲装置１０の外側に出られない。平滑な内面１６ａを備えている上部フェンス１６としては、木板、金属板、コンクリートパネル、コンクリート成形壁、セラミックパネル等が挙げられる。本実施形態では、上部フェンス１６としてトタン板を使用している。上部フェンス１６自体の高さには特に制限がないが、本実施形態では２ｍから３ｍくらいの高さである。
【００１１】  防護部材１８は、下部フェンス１４の内側と餌エリア１２に渡って設けられている。防護部材１８は、動物捕獲装置１０の内側にいる捕獲された動物が地中を掘り進むのを妨げている。すなわち、動物が防護部材１８の下を掘り進んで、さらに下部フェンス１４の下を通過し、動物捕獲装置１０の外側に逃げるには、知能、時間、労力が必要なので、防護部材１８の設置によって動物捕獲装置１０の内側に捕獲された動物は、事実上逃げられない。防護部材１８は、下部フェンス１４と同じ素材から構成されていてもよいし、板状部材から構成されていてもよい。なお、例えば、餌エリア１２がコンクリート等で表面仕上げされた領域等である場合には、動物が防護部材１８の下を掘り進めないので、防護部材１８の設置を省略してもよい。
【００１２】  移動部材２０は、動物が餌エリア１２の内側と外側とを自由に移動するための部材である。本実施形態では移動部材２０は梯子（はしご）である。梯子に代えて、１本また複数本の丸太であってもよいし、細長い板であってもよい。移動部材２０は、動物捕獲装置１０に着脱可能である。移動部材２０は、手動で動物捕獲装置１０に着脱してもよいし、例えば移動部材２０が装着された動物捕獲装置１０内に入った動物の数に応じて、自動的に外れるようにしてもよい。
【００１３】  移動部材２０を自動的に外す方法としては、例えば移動部材２０に設けたセンサーに対応させて、移動部材２０を固定しているフックを解除する方法や、監視モニターの画像解析結果に対応させて、移動部材２０を固定しているフックを解除する方法が挙げられる。なお、上部フェンス１６を固定するための支柱や横材等が上部フェンス１６の外側にある場合には、動物はこの支柱や横材等を伝わって餌エリア１２に侵入できるので、捕獲装置１０の外側部分にある移動部材２０の設置を省略してもよい。また、動物の集団ごと捕獲しない場合には、捕獲装置１０の内側部分にある移動部材２０の設置も省略できる。
【００１４】  つぎに、動物捕獲装置１０を用いて動物を集団ごと捕獲する方法について説明する。まず、移動部材２０や下部フェンス１４の開閉扉（不図示）等を用いて、餌エリア１２に餌を設置する。つぎに、監視モニターや目視等によって、餌エリア１２に侵入した動物を観察する。移動部材２０があるため、餌を食べた動物は、動物捕獲装置１０の外側に移動し、住処（すみか）に戻る。これを繰り返して動物を餌付けする。しばらくすると、動物の集団全体が動物捕獲装置１０の餌エリア１２に来るようになる。監視モニターや目視等によって、動物の集団全体が餌エリア１２に入ったと判断したら、動物が餌を食べて住処に戻った後、餌エリア１２に次の餌を設置して移動部材２０を取り外す。
【００１５】  そして、動物の集団全体が餌を食べに来るが、移動部材２０がないので動物捕獲装置１０の支柱や横材等を伝わって餌エリア１２に入る。動物の集団全体が餌エリア１２に入り餌を食べるが、その後動物捕獲装置１０から出ようとしても、上部フェンス１６の内面１６ａが平滑なので出られない。こうして、動物を集団ごと捕獲できる。なお、動物を個別に捕獲する場合には、最初から移動部材２０を取り外しておけばよい。
【００１６】  以上、実施形態に基づいて本考案の動物捕獲装置を説明したが、本考案の動物捕獲装置は上記実施形態に限定されない。図３は、本考案の他の実施形態に係る動物捕獲装置３０の部分断面模式図である。動物捕獲装置３０は、上部フェンス３６が動物捕獲装置１０の上部フェンス１６と異なる点を除いて、動物捕獲装置１０と同じである。すなわち、上部フェンス３６は鉛直方向に伸縮可能である。
【００１７】  具体的には、上部フェンス３６が下部材３６ａと上部材３６ｂとから構成されており、下部材３６ａと上部材３６ｂが重なる部分の上下長さを調整することによって、上部フェンス３６が鉛直方向に伸縮できる。このため、捕獲したい動物の大きさに応じて、下部フェンス１４と上部フェンス３６を併せたフェンスの高さが調整できる。なお、捕獲した動物が上部フェンス３６を登れないように、下部材３６ａを外側に、上部材３６ｂを内側にする。反対にした場合、下部材３６ａと上部材３６ｂとの継ぎ目部分を起点にして、捕獲した動物が動物捕獲装置３０から逃げ出すおそれがある。
【符号の説明】
【００１８】１０    動物捕獲装置
１２    餌エリア
１４    下部フェンス
１６    上部フェンス
１６ａ  内面
１８    防護部材
２０    移動部材
３０    動物捕獲装置
３６    上部フェンス
３６ａ  下部材
３６ｂ  上部材
【図１】
0003194499.tif 000003
【図２】
0003194499.tif 000004
【図３】
0003194499.tif 000005